(57)【特許請求の範囲】
【請求項１】
遊技台の下皿下方に配設され、該下皿から排出される遊技玉を受ける玉受皿と、
前記玉受皿で受けた前記遊技玉を前記遊技台背面側へ移送する回収通路と、
該回収通路と前記玉受皿とを連結し、前記玉受皿にて受けた遊技玉を前記回収通路へと移送する回収連結通路と、
前記玉受皿にて受けた遊技玉の個数を計数する計数手段と、を備えた玉計数装置において、
前記回収連結通路は、
前記玉受皿から遊技玉を受け入れる導入通路と、
該導入通路に連なる計数通路と、を備えるとともに、
前記計数通路を前記導入通路よりも下方に配置して構成し、
前記導入通路と、前記計数通路の両通路間には、
前記導入通路における遊技玉の移送方向と略直交する落下方向に開口した玉落下口が形成された段差部を設け、
前記計数手段は、
遊技玉が両通路間の前記段差部を落下する過程で遊技玉を計数するように、前記玉落下口の下方に配置したことを特徴とする玉計数装置。
【請求項２】
遊技台の下皿下方に配設され、該下皿から排出される遊技玉を受ける玉受皿と、
前記玉受皿で受けた前記遊技玉を前記遊技台の背面側へ移送する回収通路と、
該回収通路と前記玉受皿とを連結し、前記玉受皿にて受けた遊技玉を前記回収通路へと移送する回収連結通路と、
前記玉受皿にて受けた前記遊技玉の個数を計数する計数手段と、を備えた玉計数装置において、
前記回収連結通路を前記回収通路よりも上方に配置して構成し、
前記回収連結通路と、前記回収通路の両通路間には、
前記回収連結通路における遊技玉の移送方向と略直交する落下方向に開口した玉落下口が形成された段差部を設け、
前記計数手段は、
遊技玉が両通路間の前記段差部を落下する過程で遊技玉を計数するように、前記玉落下口の下方に配置したことを特徴とする玉計数装置。
【請求項３】
前記玉落下口は複数形成され、
各玉落下口の開口位置が、前記回収連結通路における遊技玉の搬送方向に夫々ずれて開口していることを特徴とする請求項２記載の玉計数装置。
【発明の詳細な説明】
【技術分野】
【０００１】
本発明は、遊技台の下皿下方に配設された玉受皿に受けられた遊技玉を回収する過程でその個数を計数するための玉計数装置に関するものである。
【背景技術】
【０００２】
例えば、パチンコ台（遊技台）において遊技客が獲得した賞球は専用のケースに収納され、このケースを賞球計数装置或いは景品交換所まで運び、獲得した賞球の個数を計数することが行われていた。
【０００３】
ところが、賞球の獲得量が多い場合、それに比例してケース重量が重くなり、重いケースを賞球計数装置或いは景品交換所まで運ぶ作業には多大な労力を要し、又、賞球が収容された複数のケースを遊技客の足元周辺に積み上げると他の遊技客や遊技場店員の通行の邪魔となる。
【０００４】
更に、賞球がケースに収容されたままの状態では、この賞球は遊技に供せられないため、遊技場全体で必要なパチンコ玉の個数が多くなるという問題もある。
【０００５】
そこで、遊技客が獲得した賞球をパチンコ台に隣設する玉貸機の内部を通過し、該パチンコ台背面側の遊技島内へ移送して回収するとともに、賞球を移送する過程でその個数を計数し、計数された個数をカードやＩＣコイン等の媒体に記憶させて該媒体を遊技客に提供し、遊技客は提供された媒体を景品交換所に持ち込んで所望の景品と交換するというシステムが提案されている。
【０００６】
ところで、上記システムにおいて賞球の個数の計数には、主に金属製の賞球を電磁気的に検知する計数センサが使用されるが、この計数センサを外部から意図的に動作させて計数値を歩進させる不正行為が可能となる。例えば、柔軟性の高い金属棒状体を計数センサに複数回通して計数値を歩進させる不正行為が可能となる。
【０００７】
そこで、特許文献１には、玉貸機内部に設置した賞球搬送樋の一部にスパイラル・シャフトを設け、スパイラル・シャフトに導入される最初の賞球をスイッチが検知するとモータを起動してスパイラル・シャフトを回転駆動し、該スパイラル・シャフトによって賞球を強制的に移送する提案がなされている。この構成によれば、賞球受皿から金属棒状体が差し込まれても、該金属棒状体の先端がスパイラル・シャフトの螺条に当接し、これが障害となって金属棒状体のそれ以上の前進が阻止されるため、金属棒状体が計数センサまで達することができず、不正行為を行うことが不可能となる。
【先行技術文献】
【特許文献】
【０００８】
【特許文献１】特開２００９−１４８３６１号公報
【発明の概要】
【発明が解決しようとする課題】
【０００９】
ところが、特許文献１において提案された構成では、スパイラル・シャフトやこれを回転駆動するモータ及びギヤ等の回転伝達機構、スイッチ等が必要となるために構造が複雑化するとともに、コストアップを招くという問題がある。
【００１０】
又、遊技台に隣設された玉貸機の内部に計数センサが配置されているため、該計数センサが故障した場合には、その交換や修理等のメンテナンスが困難である。又、賞球の通過によって計数センサが汚れた場合には、該計数センサの清掃が困難であるという問題もある。
【００１１】
従って、本発明の第１の目的とする処は、計数センサの交換や清掃等のメンテナンスを容易に行うことができる玉計数装置を提供することにある。
【００１２】
又、本発明の第２の目的とする処は、簡単な構成で安価に不正行為を防ぐことができる玉計数装置を提供することにある。
【００１３】
ところで、特許文献１において提案されたものを含む従来の玉計数装置においては、賞球搬送樋に賞球を横２列で移送させて計数及び回収する構成が採用されていたため、賞球搬送樋の幅寸法が大きくなり、該賞球搬送樋や基板等の電子部品を玉貸機内部に組み込む際に制限を受けるという問題があった。
【００１４】
従って、本発明の第３の目的とする処は、玉貸機内部の回収通路幅を狭くして該回収通路や基板等の電子部品を玉貸機内部へ容易に組み込むことを可能とする玉計数装置を提供することにある。
【課題を解決するための手段】
【００１５】
上記目的を達成するため、請求項１記載の発明は、遊技台の下皿下方に配設され、該下皿から排出される遊技玉を受ける玉受皿と、前記玉受皿で受けた前記遊技玉を前記遊技台背面側へ移送する回収通路と、該回収通路と前記玉受皿とを連結し、前記玉受皿にて受けた遊技玉を前記回収通路へと移送する回収連結通路と、前記玉受皿にて受けた遊技玉の個数を計数する計数手段と、を備えた玉計数装置において、前記回収連結通路は、前記玉受皿から遊技玉を受け入れる導入通路と、該導入通路に連なる計数通路と、を備えるとともに、前記計数通路を前記導入通路よりも下方に配置して構成し、前記導入通路と、前記計数通路の両通路間には、前記導入通路における遊技玉の移送方向と略直交する落下方向に開口した玉落下口が形成された段差部を設け、前記計数手段は、遊技玉が両通路間の前記段差部を落下する過程で遊技玉を計数するように、前記玉落下口の下方に配置したことを特徴とする。
【００１６】
請求項２記載の発明は、  遊技台の下皿下方に配設され、該下皿から排出される遊技玉を受ける玉受皿と、前記玉受皿で受けた前記遊技玉を前記遊技台の背面側へ移送する回収通路と、該回収通路と前記玉受皿とを連結し、前記玉受皿にて受けた遊技玉を前記回収通路へと移送する回収連結通路と、前記玉受皿にて受けた前記遊技玉の個数を計数する計数手段と、を備えた玉計数装置において、前記回収連結通路を前記回収通路よりも上方に配置して構成し、前記回収連結通路と、前記回収通路の両通路間には、前記回収連結通路における遊技玉の移送方向と略直交する落下方向に開口した玉落下口が形成された段差部を設け、前記計数手段は、遊技玉が両通路間の前記段差部を落下する過程で遊技玉を計数するように、前記玉落下口の下方に配置したことを特徴とする。
【００１７】
請求項３記載の発明は、請求項２記載の発明において、前記玉落下口は複数形成され、各玉落下口の開口位置が、前記回収連結通路における遊技玉の搬送方向に夫々ずれて開口していることを特徴とする。

【発明の効果】
【００２１】
本発明によれば、玉貸機の外部に配設される回収連結通路に計数手段を配置したため、該計数手段の交換や修理、清掃等のメンテナンスを、玉貸機を分解することなく容易且つ迅速に行うことができる。

【００２２】
また、回収連結通路を導入通路と計数通路とで構成し、計数通路に計数手段を設けるとともに、計数通路を導入通路よりも下方に配置して両通路間に段差を設けたため、導入通路から金属棒状体を差し込んで不正行為を行おうとしても、金属棒状体は導入通路よりも下方に位置する計数通路に設けられた計数手段まで達することができず、計数手段を動作させることができないために簡単な構成で安価に不正行為を防ぐことができる。

【００２４】
さらに、計数手段を導入通路終端の計数通路との段差部に配置し、該段差部を落下する遊技玉を計数するよう構成したため、導入通路での遊技玉の移送方向（金属棒状体の差し込み方向）と計数手段への遊技玉の通過方向（落下方向）とが直交するため、金属棒状体を計数手段に通過させて該計数手段を動作させることができず、簡単な構成で安価に不正行為を防ぐことができる。
【００２５】
請求項２記載の発明によれば、計数手段を回収連結通路終端の回収通路との段差部に配置し、該段差部を落下する遊技玉を計数するよう構成したため、回収連結通路での遊技玉の移送方向（金属棒状体の差し込み方向）と計数手段への遊技玉の通過方向（落下方向）とが直交するため、金属棒状体を計数手段に通過させて該計数手段を動作させることができず、簡単な構成で安価に不正行為を防ぐことができる。
【図面の簡単な説明】
【００２７】
【図１】本発明の実施の形態１に係る玉計数装置を備えたパチンコ台の斜視図である。
【図２】本発明の実施の形態１に係る玉計数装置の破断正面図である。
【図３】本発明の実施の形態１に係る玉計数装置の破断斜視図である。
【図４】本発明の実施の形態１に係る玉計数装置の回収連結通路の平面図である。
【図５】本発明の実施の形態１に係る玉計数装置の回収連結通路の正面図である。
【図６】図５のＡ−Ａ線断面図である。
【図７】本発明の実施の形態１に係る玉計数装置での賞球の回収と計数の状態を示す破断正面図である。
【図８】本発明の実施の形態１に係る玉計数装置での賞球の回収と計数の状態を示す破断斜視図である。
【図９】本発明の実施の形態２に係る玉計数装置の破断正面図である。
【図１０】本発明の実施の形態２に係る玉計数装置の破断斜視図である。
【図１１】本発明の実施の形態２に係る玉計数装置の回収連結通路の平面図である。
【図１２】本発明の実施の形態２に係る玉計数装置の回収連結通路の正面図である。
【図１３】図１２のＢ−Ｂ線断面図である。
【図１４】本発明の実施の形態２に係る玉計数装置での賞球の回収と計数の状態を示す破断斜視図である。
【図１５】本発明の実施の形態３に係る玉計数装置の破断正面図である。
【図１６】本発明の実施の形態３に係る玉計数装置の破断斜視図である。
【図１７】本発明の実施の形態３に係る玉計数装置の玉受皿と回収連結通路の斜視図である。
【図１８】本発明の実施の形態３に係る玉計数装置の回収連結通路の平面図である。
【図１９】本発明の実施の形態３に係る玉計数装置の回収連結通路の正面図である。
【図２０】図１９のＣ−Ｃ線断面図である。
【図２１】本発明の実施の形態３に係る玉計数装置での賞球の回収と計数の状態を示す破断斜視図である。
【発明を実施するための形態】
【００２８】
以下に本発明の実施の形態を添付図面に基づいて説明する。
【００２９】
＜実施の形態１＞
図１は本発明の実施の形態１に係る玉計数装置を備えたパチンコ台の斜視図、図２は本発明の実施の形態１に係る玉計数装置の破断正面図、図３は同玉計数装置の破断斜視図、図４は同玉計数装置の回収連結通路の平面図、図５は同回収連結通路の正面図、図６は図５のＡ−Ａ線断面図、図７は玉計数装置での賞球の回収と計数の状態を示す破断正面図、図８は同破断斜視図である。
【００３０】
図１に示すように、遊技場等に設置されているパチンコ台５０の側部には玉貸機６０が隣設されている。そして、パチンコ台５０の前面に設けられた下皿５１の下方には矩形ボックス状の玉受皿１が配置されており、本発明に係る玉計数装置は、前記玉受皿１と、前記玉貸機６０の内部下方に設置された回収通路３（図３参照）と、該回収通路３と玉受皿１とを連結する回収連結通路２とで構成されている。
【００３１】
而して、本発明に係る玉計数装置は、遊技客が獲得してパチンコ台５０の下皿５１に貯留された賞球Ｓ（図７及び図８参照）を玉受皿１へと落下させて受け、この玉受皿１にて受けられた賞球Ｓを回収連結通路２から回収通路３へと移送し、これを移送する過程でその個数を計数してパチンコ台５０の背面側の遊技島内へと回収する装置である。
【００３２】
上記玉受皿１は矩形ボックス状に成形されており、図２及び図３に示すように、これには回収連結通路２に向かって下がるよう傾斜した玉受通路４が形成されている。そして、図１及び図８に示すように、玉受皿１の上面には玉受通路４に向かって下がるよう傾斜した斜面状の玉受面５が形成されている。尚、図３に示すように、玉受通路４には溝状のレール６が長手方向に沿って形成されており、玉受通路４は玉受皿１の回収連結通路２側の側壁に形成された矩形の開口部７（図８参照）まで延びている。
【００３３】
回収連結通路２は、玉受皿１から側方へ延びるよう形成されており、玉受皿１の玉受通路４から賞球Ｓを受け入れる導入通路８と該導入通路８に連なる計数通路９とで構成されている。図２及び図３に示すように、導入通路８と計数通路９は賞球Ｓの移送方向（図２の左方）に向かって下がるよう傾斜しており、計数通路９は導入通路８よりも下方に配置され、両通路８，９間には、賞球Ｓの直径以上の高さを有する段差が設けられている。
【００３４】
そして、図２〜図６に示すように、回収連結通路２の導入通路８の一端（賞球Ｓの移送方向上流端）は玉受皿１の玉受通路４に接続されており、導入通路８と計数通路９には連続する溝状のレール１０が長手方向に形成され、これらのレール１０は玉受皿１の玉受通路４に形成された前記レール６に接続されている。尚、計数通路９は、該計数通路９の幅方向中央に備えた案内壁１１によって２列に区画される。
【００３５】
図４及び図５に示すように、計数通路９の終端（下流端）近傍には計数手段を構成する計数センサ１２が長手方向に位置をずらした状態でそれぞれ配置されている。このように、２つの計数センサ１２の設置位置を長手方向にずらすことによって、該計数センサ１２の横方向の設置スペースを縮小することができるとともに、各計数センサ１２の検知タイミングの同期による誤検知を防ぐことができる。本実施の形態において、各計数センサは、金属製の賞球Ｓの通過を電磁気的に検知してその賞球Ｓの個数を計数する貫通型近接スイッチで構成されている。
【００３６】
又、図２及び図３に示すように、計数通路９の上方には水平なガイド壁１３が前記案内壁１１に当接する状態で設置されており、このガイド壁１３の上流部には垂直に起立するストッパ部１３ａが形成されている。そして、ガイド壁１３の上流端と導入通路８の下流端との間には、賞球Ｓが通過し得る程度の大きさの隙間が形成されている。
【００３７】
そして、図３に示すように、計数通路９の末端（下流端）は案内壁１１を隔てて２つの開口部１４が開口しており、これらの開口部１４の下流側には一段下がった斜面１５が形成されている。この斜面１５は奥側（回収通路３側）に向かって下がるよう傾斜している。
【００３８】
前記玉貸機６０の内部に設置された前記回収通路３は、図３に示すように、回収連結通路２の末端（下流端）から奥側（パチンコ台５０の背面側）に向かって直角に延設されており、奥側に向かって下がるよう傾斜している。そして、回収通路３の上流端は回収連結通路２に設けられた計数通路９の末端（下流端）に形成された前記斜面１５に接続されている。
【００３９】
而して、遊技客がパチンコ台５０において獲得した賞球Ｓは下皿５１に貯留されるが、この下皿５１に貯留された賞球Ｓは遊技客のレバー操作等によって下皿５１から玉受皿１の玉受面５上に落下して受けられ、玉受面５の傾斜に沿って転動して玉受通路４上に落下する。すると、この賞球Ｓは、図７及び図８に示すように、玉受皿１の玉受通路４の傾斜によって溝状のレール６に沿って回収連結通路２側へと移送され、玉受皿１の側壁に開口する開口部７（図８参照）から回収連結通路２へと受け渡される。
【００４０】
回収連結通路２においては、賞球Ｓは、導入通路８の傾斜によって溝状のレール１０に沿って列を成して下流側へと移送され、導入通路８の末端から計数通路９との段差部分を落下して計数通路９へと受け渡され、計数通路９の傾斜によってレール１０に沿って、案内壁１１によって横２列を成して下流側へと移送され、計数通路９の末端近傍に設けられた計数センサ１２を通過することによって検知された後、計数通路９の末端の開口部１４から下方の斜面１５へと落下する。そして、斜面１５へと落下した賞球Ｓは、その進行方向が直角に方向転換された後、回収通路３の傾斜によって該回収通路３を奥側に向かって移送されて回収される。ここで、賞球Ｓが斜面１５へ落下する高さは該賞球Ｓの直径以上に設定されており、このように設定することによって、斜面１５に落下した賞球Ｓに開口部１４から落下してくる賞球Ｓが上方より当接してこれらが列状を成して回収通路３へと移送される。又、回収通路３の幅は賞球Ｓが１列を成して移送されるよう回収連結通路２の幅よりも狭く設定されている。
【００４１】
以上の過程を経て賞球Ｓは計数センサ１２によって計数されながら図１に示すパチンコ台５０の背面側の遊技島内へと回収される。本実施の形態では、玉貸機６０の外部に配設される回収連結通路２に計数手段である計数センサ１２を配置したため、該計数センサ１２の交換や修理、清掃等のメンテナンスを玉貸機６０を分解することなく容易且つ迅速に行うことができる。
【００４２】
又、本実施の形態では、回収連結通路２を導入通路８と計数通路９とで構成し、計数通路９に計数センサ１２を設けるとともに、計数通路９を導入通路８よりも下方に配置して両通路８，９間に賞球Ｓの直径以上の高さを有する段差を設けたため、導入通路８から、例えば、金属棒状体を差し込んで不正行為を行おうとしても、金属棒状体は導入通路８よりも下方に位置する計数通路９に設けられた計数センサ１２まで達することができず、金属棒状体は、その先端が計数通路９の上方に設けられたガイド壁１３のストッパ部１３ａに当接し、それ以上の進入が阻止される。このため、金属棒状体を用いて計数センサ１２を動作させることができず、簡単な構成で安価に不正行為を防ぐことができる。そして、本実施の形態では、計数センサ１２を導入通路８から最も遠い計数通路９の終端近傍に配置したため、金属棒状体が計数センサ１２に届きにくく、不正行為を確実に防ぐことができる。
【００４３】
更に、本実施の形態では、回収連結通路２を横２列で移送される賞球Ｓは計数通路９の終端から下方の斜面１５に落下した後、その移送方向が直角に方向転換されて回収通路３に沿って移送されるため、回収連結通路２と回収通路３とを直角に連結することができるとともに、賞球Ｓを回収通路３に略１列で流すことができ、回収通路３の幅を回収連結通路２の幅よりも狭くすることができ、回収通路３や基板等の不図示の電子部品を玉貸機６０の内部へ容易に組み込むことが可能となる。
【００４４】
＜実施の形態２＞
次に、本発明の実施の形態２を図９〜図１４に基づいて説明する。
【００４５】
図９は本発明の実施の形態２に係る玉計数装置の破断正面図、図１０は同玉計数装置の破断斜視図、図１１は同玉計数装置の回収連結通路の平面図、図１２は同回収連結通路の正面図、図１３は図１２のＢ−Ｂ線断面図、図１４は玉計数装置での賞球の回収と計数の状態を示す破断斜視図であり、これらの図においては図１〜図８において示したものと同一要素には同一符号を付しており、以下、それらについての再度の説明は省略する。
【００４６】
本実施の形態は、計数手段である計数センサ１２を回収連結通路２の導入通路８の終端と計数通路９との段差部に配置し、該段差部を落下する賞球Ｓを計数するようにしたことを特徴とし、他の構成は前記実施の形態１のそれと同じである。
【００４７】
即ち、図１１及び図１２に示すように、導入通路８の溝状のレール１０の終端部には円孔状の玉落下口１６がそれぞれ形成されており、各玉落下口１６の下方に計数センサ１２がそれぞれ設置されている。
【００４８】
而して、本実施の形態においても、遊技客が図１に示すパチンコ台５０において獲得した賞球Ｓは下皿５１に貯留され、この下皿５１に貯留された賞球Ｓは玉受皿１に落下して受けられる。すると、この賞球Ｓは、図１４に示すように、玉受皿１の玉受通路４を列を成して回収連結通路２側へと移送され、玉受皿１の側壁に開口する開口部７（図１４参照）から回収連結通路２へと受け渡される。
【００４９】
回収連結通路２においては、賞球Ｓは導入通路８をレール１０によって横２列を成して下流側へと移送され、導入通路９の終端部に形成された玉落下口１６から計数通路９との段差部分を落下するが、この落下する過程で段差部分に設置された計数センサ１２によって賞球Ｓが検知されて計数される。そして、計数センサ１２によって検知された賞球Ｓは、計数通路９へと受け渡され、計数通路９を横２列を成して下流側へと移送され、計数通路９の末端から下方の斜面１５へと落下する。そして、斜面１５へと落下した賞球Ｓは、その進行方向が直角に方向転換された後、回収通路３の傾斜によって該回収通路３を奥側に向かって移送されて回収される。
【００５０】
以上の過程を経て賞球Ｓは計数センサ１２によって計数されながらパチンコ台５０の背面側の遊技島内へと回収されるが、本実施の形態では、計数センサ１２を導入通路８の終端の計数通路９との段差部に配置し、該段差部を落下する賞球Ｓを計数するよう構成したため、導入通路８での賞球Ｓの移送方向（金属棒状体の差し込み方向）と計数センサ１２への賞球Ｓの通過方向（落下方向）とが直交するため、金属棒状体を計数センサ１２に通過させて該計数センサ１２を動作させることができず、簡単な構成で安価に不正行為を確実に防ぐことができる。
【００５１】
その他、本実施の形態においても、前記実施の形態１と同様の効果が得られる。
【００５２】
＜実施の形態３＞
次に、本発明の実施の形態３を図１５〜図２１に基づいて説明する。
【００５３】
図１５は本発明の実施の形態３に係る玉計数装置の破断正面図、図１６は同玉計数装置の破断斜視図、図１７は同玉計数装置の玉受皿と回収連結通路の斜視図、図１８は同玉計数装置の回収連結通路の平面図、図１９は同回収連結通路の正面図、図２０は図１９のＣ−Ｃ線断面図、図２１は玉計数装置での賞球の回収と計数の状態を示す破断斜視図であり、これらの図においても図１〜図８において示したものと同一要素には同一符号を付しており、以下、それらについての再度の説明は省略する。
【００５４】
本実施の形態は、回収連結通路２を回収通路３よりも上方に配置して両通路２，３間に段差を設けるとともに、計数手段である計数センサ１２を回収連結通路２の終端の回収通路３との段差部に配置し、該段差部を落下する賞球Ｓを計数するようにしたことを特徴とし、他の構成は前記実施の形態１，２のそれと同じである。
【００５５】
即ち、図１７〜図１９に示すように、回収連結通路２の横２列のレール１０の終端部には円孔状の玉落下口１６がそれぞれ形成されており、各玉落下口１６の下方に計数センサ１２がそれぞれ設置されている。
【００５６】
而して、本実施の形態においても、遊技客が図１に示すパチンコ台５０において獲得した賞球Ｓは下皿５１に貯留され、この下皿５１に貯留された賞球Ｓは玉受皿１に落下して受けられる。すると、この賞球Ｓは、図２１に示すように、玉受皿１の玉受通路４を横２列を成して回収連結通路２側へと移送され、玉受皿１の側壁に開口する開口部７（図２１参照）から回収連結通路２へと受け渡される。
【００５７】
回収連結通路２においては、賞球Ｓは回収連結通路２を横２列を成して下流側へと移送され、回収連結通路２の末端に形成された玉落下口１６から回収通路９との段差部分を落下するが、この落下する過程で段差部分に設置された計数センサ１２によって賞球Ｓが検知されて計数される。そして、計数センサ１２によって検知された賞球Ｓは、下方の斜面１５へと落下し、斜面１５へと落下した賞球Ｓは、その進行方向が直角に方向転換された後、回収通路３の傾斜によって該回収通路３を奥側に向かって移送されて遊技島内に回収される。
【００５８】
尚、図１８に示すように、本実施の形態では２つの玉落下口１６の位置が賞球Ｓの搬送方向（図１８の左右方向）にずれている。これは、賞球Ｓがこれらの玉落下口１６をそれぞれ通過して回収通路３に移送される際に、賞球Ｓ同士が衝突して回収通路４で玉詰まりが生ずることを防ぐためである。
【００５９】
以上の過程を経て賞球Ｓは検知センサ１２によって計数されながら図１に示すパチンコ台５０の背面側の遊技島内へと回収される。本実施の形態では、計数センサ１２を回収連結通路２の終端の回収通路３との段差部に配置し、該段差部を落下する賞球Ｓを計数するよう構成したため、回収連結通路２での賞球Ｓの移送方向（金属棒状体の差し込み方向）と計数センサ１２への賞球Ｓの通過方向（落下方向）とが直交するため、金属棒状体を計数センサ１２に通過させて該計数センサ１２を動作させることができず、簡単な構成で安価に不正行為を確実に防ぐことができる。
【００６０】
その他、本実施の形態においても、前記実施の形態１と同様の効果が得られる。
【００６１】
尚、以上の実施の形態では、回収通路３は玉貸機６０の内部下方に設置されたものとしたが、該回収通路３は玉貸機６０の外部別体として設置しても良い。
【符号の説明】
【００６２】
１      玉受皿
２      回収連結通路
３      回収通路
４      玉受通路
５      玉受面
６      レール
７      開口部
８      導入通路
９      計数通路
１０    レール
１１    案内壁
１２    計数センサ（計数手段）
１３    ガイド壁
１３ａ  ガイド壁のストッパ部
１４    開口部
１５    斜面
１６    玉落下口
５０    パチンコ台（遊技台）
５１    下皿
６０    玉貸機
Ｓ      賞球（遊技玉）
【図１】
0005548410.tif 000002
【図２】
0005548410.tif 000003
【図３】
0005548410.tif 000004
【図４】
0005548410.tif 000005
【図５】
0005548410.tif 000006
【図６】
0005548410.tif 000007
【図７】
0005548410.tif 000008
【図８】
0005548410.tif 000009
【図９】
0005548410.tif 000010
【図１０】
0005548410.tif 000011
【図１１】
0005548410.tif 000012
【図１２】
0005548410.tif 000013
【図１３】
0005548410.tif 000014
【図１４】
0005548410.tif 000015
【図１５】
0005548410.tif 000016
【図１６】
0005548410.tif 000017
【図１７】
0005548410.tif 000018
【図１８】
0005548410.tif 000019
【図１９】
0005548410.tif 000020
【図２０】
0005548410.tif 000021
【図２１】
0005548410.tif 000022